(57)【要約】【課題】木の葉や虫等のゴミを除去するためのメンテナンスが容易で、効率的な雨水の取り出しが可能な、改善された新しい雨水取り出し装置を提供する。【解決手段】上側竪樋８と下側竪樋９とを連結する連結筒部３及びこの連結筒部３に連設一体化され底部４２に雨水取り出し口部４１を有し上部に開口２１を有する雨水取り出し筒部４を備えた雨水取り出し部本体２と、雨水取り出し部本体２の雨水取り出し筒部４の開口２１を覆う着脱自在な蓋５とを有する雨水取り出し装置１であって、雨水取り出し部本体２の雨水取り出し筒部４には、雨水取り出し口部４１の上方にフィルター６が内設されており、フィルター６は蓋５と連結されて蓋５の着脱に連動して着脱自在とされている。【選択図】図１
2009127371.tif 000002
【特許請求の範囲】
【請求項１】
上側竪樋と下側竪樋とを連結する連結筒部及びこの連結筒部に連設一体化され底部に雨水取り出し口部を有し上端に開口を有する雨水取り出し筒部を備えた雨水取り出し部本体と、雨水取り出し部本体の雨水取り出し筒部の開口を覆う着脱自在な蓋とを有する雨水取り出し装置であって、雨水取り出し部本体の雨水取り出し筒部には、雨水取り出し口部の上方にフィルターが内設されており、フィルターは蓋と連結されて蓋の着脱に連動して着脱自在とされていることを特徴とする雨水取り出し装置。
【請求項２】
雨水取り出し部本体は、その上端全面に開口が形成されており、蓋は、雨水取り出し部本体の上端全面に着脱自在に取り付けられ、かつ上側竪樋の挿入口が形成されていることを特徴とする請求項１に記載の雨水取り出し装置。
【発明の詳細な説明】
【技術分野】
【０００１】
本発明は、竪樋を流下する雨水を外部に取り出す雨水取り出し装置に関するものである。
【背景技術】
【０００２】
近年の水不足や地球環境保全の意識の高まりにつれて、雨水を資源として利用する考えが認識され、雨水を集水する装置が検討され、簡易な装置が提案されている。
【０００３】
例えば、軒樋に連通する竪樋の適当な位置に取り付けられる筒状の装置で、上側の竪樋と下側の竪樋とを連結する連結筒部と、連結筒部に連設され、フィルターを内設した雨水取り出し筒部を備えた雨水除塵取水装置が提案されている（例えば、特許文献１参照）。この雨水除塵取水装置は、網と濾材とによって、木の葉や虫等のゴミを除去するフィルターが構成され、これを内設している雨水取り出し筒部の上方開口に、開閉自在とした蓋が取り付け固定されている。
【０００４】
この雨水除塵取水装置においては、雨水取り出し筒部の蓋を開けてフィルターに集積されたゴミを除去している。しかしながら、手で蓋を開けたままゴミを取出さねばならないことから、フィルターに集積されたゴミの除去に際して蓋が障害となりやすいという問題点がある。また、蓋の開閉操作にともなうゴミの取り出しは、蓋とフィルターとの間の距離があると大変面倒なものになる。さらに、この雨水除塵取水装置は、連結筒部から雨水取り出し筒部への雨水の誘導が斜流板によって行われるようにしているが、この斜流板の配置位置や形状によってはここでゴミ詰まりを生じさせ、雨水の取り出しを難しくするばかりか、ゴミの除去のために、結局のところ、連結筒部から上側竪樋と下側竪樋を取り外さなければならないというメンテナンス上の問題も生じかねない。
【特許文献１】実用新案登録第３１２９４９２号公報
【発明の開示】
【発明が解決しようとする課題】
【０００５】
本発明は、上記のとおりの背景から、従来の問題点を解消し、木の葉や虫等のゴミの除去等のメンテナンスが容易で、効率的な雨水の取り出しが可能な、改善された新しい雨水取り出し装置を提供することを課題としている。
【課題を解決するための手段】
【０００６】
本発明の雨水取り出し装置は以下のことを特徴としている。
【０００７】
第１には、上側竪樋と下側竪樋とを連結する連結筒部及びこの連結筒部に連設一体化され底部に雨水取り出し口部を有し上端に開口を有する雨水取り出し筒部を備えた雨水取り出し部本体と、雨水取り出し部本体の雨水取り出し筒部の開口を覆う着脱自在な蓋とを有する雨水取り出し装置であって、雨水取り出し部本体の雨水取り出し筒部には、雨水取り出し口部の上方にフィルターが内設されており、フィルターは蓋と連結されて蓋の着脱に連動して着脱自在とされていることを特徴とする。
【０００８】
第２には、第１の発明において、雨水取り出し部本体は、その上端全面に開口が形成されており、蓋は、雨水取り出し部本体の上端全面に着脱自在に取り付けられ、かつ上側竪樋の挿入口が形成されていることを特徴とする。
【発明の効果】
【０００９】
第１の発明によれば、雨水取り出し部本体の雨水取り出し筒部には、雨水取り出し口部の上方にフィルターが内設されており、フィルターは蓋と連結されて蓋の着脱に連動して着脱自在とされていることにより、蓋を取り外してのゴミの集積状態の目視確認やゴミの除去作業等が容易となる。したがって、雨水取り出し装置の連結筒部から上側竪樋及び下側竪樋を取り外してゴミの集積状態の目視確認やゴミの除去作業等をおこなう手間がなくなりメンテナンス性が向上する。また、従来、蓋の存在がゴミの除去作業の障害になっていたという問題が生じることはない。
【００１０】
第２の発明によれば、雨水取り出し部本体は、その上端全面に開口が形成されており、蓋は、雨水取り出し部本体の上端全面に着脱自在に取り付けられ、かつ上側竪樋の挿入口が形成されていることにより、上側竪樋が蓋の挿入口に挿入されたまま、上下方向に蓋の雨水取り出し部本体への着脱が可能とされる。したがって、蓋が雨水取り出し部本体から取り外された状態において上側竪樋が蓋の挿入口に挿通されているので、蓋の雨水取り出し部本体への装着及び装着のための位置合わせが容易である。
【発明を実施するための最良の形態】
【００１１】
図１は、本発明の雨水取り出し装置の一実施形態を示した縦断面図であり、図２は、図１の雨水取り出し装置の雨水取り出し部本体の平面図である。図３は、図１の雨水取り出し装置が上側竪樋及び下側竪樋に接続され、蓋を取り外した状態の外観を示す斜視図である。
【００１２】
本実施形態の雨水取り出し装置１は、円筒状の上側竪樋８と同じく円筒状の下側竪樋９とを連結する連結筒部３及びこの連結筒部３に連設一体化され底部４２に雨水取り出し口部４１を有する雨水取り出し筒部４を備えた雨水取り出し部本体２を有している。
【００１３】
雨水取り出し部本体２は、上端全面に開口２１が形成されており、これを覆う着脱自在な蓋５が装着される。蓋５の下部周縁には、雨水取り出し部本体２の開口２１の内側に嵌合される嵌合筒部５２が一体に垂設されている。また、蓋５の外周面５３と嵌合筒部５２よりなる段部５４が形成されており、雨水取り出し部本体２の上縁部２２で係止されて、蓋５が雨水取り出し部本体２に装着される。このように本実施形態では、蓋５の装着時に雨水取り出し部本体２の開口２１の内側に蓋５の嵌合筒部５２が嵌合されるため、蓋５と雨水取り出し部本体２との確実な装着が実現され、開口２１からのゴミの進入を阻止することができることはもちろん、雨水取り出し部本体２の強度の向上にも有効である。
【００１４】
蓋５には上側竪樋８が挿通可能な挿入口５１が形成されており、その外寸は上側竪樋８の外寸と略等しいか又は若干小さくなっている。雨水取り出し部本体２の上側竪樋８への取り付けは、蓋５を雨水取り出し部本体２に装着した状態で行われ、上側竪樋８の下端が蓋５の挿入口５１より連結筒部３内に差し込まれて上側竪樋８と雨水取り出し部本体２とが接続される。上側竪樋８に雨水取り出し部本体２を取り付けた後、本実施形態では、蓋５の着脱は、蓋５の挿入口５１に上側竪樋８が挿通されたまま行われ、例えば、蓋５を取り外したい場合には蓋５を上方向に持ち上げ、蓋５を装着したい場合には蓋５を下方向に押し下げて取り付けるものとする。上側竪樋８は、蓋５を雨水取り出し部本体２に案内するガイド部として機能し、蓋５の雨水取り出し部本体２への装着及び装着のための位置合わせが容易になる。
【００１５】
蓋５を装着した状態において、蓋５の挿入口５１の下方の雨水取り出し部本体２の連結筒部３の底部３２には、下側竪樋９が接続される接続部３１が蓋５の挿入口５１と略同一鉛直上の位置に形成されている。接続部３１は、連結筒部３の底板３３から下方に延設された円筒形状を有し、その外寸は下側竪樋９の内寸と略等しいか又は若干小さくなっており、下側竪樋９が接続部３１に嵌挿されて取り付けられるようになっている。したがって、本実施形態の雨水取り出し装置１は、上側竪樋８及び下側竪樋９が略同一鉛直上に連結筒部３で連結される。
【００１６】
連結筒部３の接続部３１の上側には、底板３３から上方に円筒形状の中筒３４が立設されており、上側竪樋８及び下側竪樋９が雨水取り出し装置１に連結された状態において、中筒３４が上側竪樋８及び下側竪樋９と同軸上になるような位置に形成されている。中筒３４の外寸は、上側竪樋８及び接続部３１の内寸よりも小さくされている。また、中筒３４の上端及び下端は開口しており、連結筒部３の内部は中筒３４を通じて接続部３１と連通されている。
【００１７】
雨水取り出し部本体２の内部では、連結筒部３と雨水取り出し筒部４が連通されており、雨水取り出し流路２３が形成されている。この雨水取り出し流路２３は、上側竪樋８からその内壁面８１を伝って流下し、連結筒部３の底板３３で受けた雨水を、雨水取り出し筒部４へと流通させる流路である。また、雨水とともに木の葉や虫等のゴミも上側竪樋８の内壁面８１を伝って流下するため、雨水とともにゴミも雨水取り出し筒部４へと流れ込む。なお、上側竪樋８の内壁面８１を伝う雨水及びゴミを確実に連結筒部３の底板３３で受けこれらを雨水取り出し筒部４へと流通させるために、図１に示すように、上側竪樋８の下端が連結筒部３の中筒３４の上端よりも低い位置になるように上側竪樋８が連結筒部３と接続されることが好適に考慮される。
【００１８】
上側竪樋８から雨水取り出し装置１に流れ込む雨水は、通常、上記のように、上側竪樋８からその内壁面８１を伝って雨水取り出し部本体２の連結筒部３内に流下するが、降雨量が多い場合には、上側竪樋８の内壁面８１を伝って流下する流れとともに、上側竪樋８の内壁面８１から離れて流下する雨水の流れが上側竪樋８内で形成される。この場合、上側竪樋８の内壁面８１から離れて流下する雨水は、連結筒部３の中筒３４を通じて接続部３１より下側竪樋９へと流れ落ちる。このように、連結筒部３の内部構造は、雨水の取り出しを優先的に行うように効率的なものとしている。
【００１９】
雨水取り出し部本体２の雨水取り出し筒部４の底部４２には、円筒状の雨水取り出し口部４１が下方に延設されている。雨水取り出し口部４１には、別途の場所に設置された雨水貯水槽に接続されたホース１０等の通水路を形成する部材の上端部が嵌入又は挿入されるようになっており、連結筒部３から雨水取り出し筒部４へと流通した雨水は、この雨水取り出し口部４１からホース１０等を経由して雨水貯水槽に取り出される。
【００２０】
雨水取り出し部本体２の雨水取り出し筒部４には、金網や濾材等のゴミ捕集部６１と、ゴミ捕集部６１が取り付け固定される金属製や樹脂製の周縁部６２とで構成されるフィルター６が、雨水取り出し口部４１の上方に内設されており、雨水取り出し筒部４に雨水とともに流れ込んだゴミはこのフィルター６のゴミ捕集部６１によって捕集され、雨水取り出し口部４１がゴミによって詰まることがないようにしている。フィルター６は、蓋５の嵌合筒部５２の一部から垂下されて形成される板状の連結部７の下端に周縁部６２が取り付け固定され、連結部７を介して蓋５と一体とされており、蓋５の着脱に連動して雨水取り出し部本体２の雨水取り出し筒部４から取り外すことができるようになっている。この連結部７は、雨水取り出し部本体２内の雨水取り出し流路２３の妨げにならないように、蓋５の挿入口５１からもっとも離れた蓋５の先端部５５近傍の嵌合筒部５２に設けられている。このように本実施形態では、蓋５の着脱に連動してフィルター６を容易に取り出すことができるため、フィルター６で捕集されたゴミの量や状態を目視で確認することが容易であり、ゴミの取り除き作業やゴミ捕集部６１の交換作業等のメンテナンスも容易である。
【００２１】
本発明の雨水取り出し装置は、その形状や大きさ等において様々な形態があってよい。例えば、本実施形態では円筒状の竪樋に連結されているが、角形の竪樋に連結されていてもよい。この場合、蓋の挿入口及び接続部の形状や大きさは、角形の竪樋に対応した形状や大きさに設定される。また、本実施形態では、蓋が雨水取り出し部本体の上端全面に着脱自在に取り付けられ、かつ上側竪樋の挿入口が形成されているが、例えば、雨水取り出し部本体の雨水取り出し筒部の上端の開口部分だけを覆う着脱自在な蓋が設けられ、その他の雨水取り出し部本体のその他の開口部分はカバー部材で覆うようにし、カバー部材に上側竪樋の挿入口が形成されていてもよい。
【図面の簡単な説明】
【００２２】
【図１】本発明の雨水取り出し装置の一実施形態を示した縦断面図である。
【図２】図１の雨水取り出し装置の雨水取り出し部本体の平面図である。
【図３】図１の雨水取り出し装置が上側竪樋及び下側竪樋に接続され、蓋を取り外した状態の外観を示す斜視図である。
【符号の説明】
【００２３】
１  雨水取り出し装置
２  雨水取り出し部本体
２１  開口
２３  雨水取り出し流路
３  連結筒部
３１  接続部
３２  底部
４  雨水取り出し筒部
４１  雨水取り出し口部
４２  底部
５  蓋
５１  挿入口
６  フィルター
８  上側竪樋
９  下側竪樋
【図１】
2009127371.tif 000003
【図２】
2009127371.tif 000004
【図３】
2009127371.tif 000005